(57)【特許請求の範囲】
【請求項１】
ユーザーにより入力された入力情報を端末機器を介して受信し、当該入力情報に基づいてユーザーの所望する物品を検索し、当該検索された物品情報を販売者サーバに送信する物品検索システムであって、
複数種類の物品情報を記憶する記憶部と、
時間の経過を計時する計時部と、
ユーザーからの入力情報を受信する受信部と、
当該受信部で受信された入力情報に基づき、前記記憶部に記憶された物品情報のうち、該当する物品情報を検索する検索部と、
当該検索部で検索された検索物品情報を販売者サーバに送信する制御を行う制御部と、
検索物品情報を販売者サーバに送信する送信部と、
を有する物品検索サーバを備え、
前記記憶部には、異なる複数の物品情報と、時間の経過との対応関係情報が複数記憶されており、
前記送信部は、前記記憶部に記憶された前記対応関係情報を、ユーザーの端末機器に送信し、
前記受信部は、前記入力情報として、ユーザーが入力した初期情報、及び前記対応関係情報から選択された選択物品情報を受信し、
前記検索部は、前記受信部で受信した前記初期情報と、前記計時部で計時される時間の経過に基づき、前記記憶部に記憶された複数種類の物品情報から、該当する物品情報を検索する検索機能を有し、
前記送信部は、前記受信部で受信された前記選択物品情報、または前記検索部の検索機能により検索された前記検索物品情報を、販売者サーバに送信し、
前記制御部は、前記初期情報および前記計時部が計時した時間の経過に応じた所定時期を算出する算出機能を有し、
前記送信部は、当該算出された所定時期に、ユーザーの前記端末機器に、前記検索物品情報とともに物品の発送情報を送信し、
前記受信部は、ユーザーの前記端末機器から、物品または物品情報の発送情報を要求する要求情報を受信し、
前記送信部は、前記要求情報に応じた所定時期に、ユーザーの前記端末機器に、前記検索物品情報とともに物品の発送情報を送信し、
前記物品として、赤ちゃんのオムツを用い、
前記記憶部には、オムツ情報テーブル、時間の経過に応じてオムツを対応付けて記憶した成長度合いテーブル、時間の経過と赤ちゃんの体重による複数のパターンを想定した成長パターンテーブルによる、異なるオムツ情報と、時間の経過との前記対応関係情報が複数記憶されており、
前記制御部は、ユーザーからの前記要求情報に応じた所定時期と、前記算出機能によって、前記成長パターンテーブルのうち適用される成長パターンテーブル、及びこれに応じた成長度合いテーブルから算出した所定時期とを比較する比較機能を有し、
当該比較機能で比較された結果に応じて、成長パターンテーブルのうち適用される成長パターンテーブルを変更し、当該適用された成長パターンテーブルに基づき、前記算出機能に、前記初期情報および前記計時部が計時した時間の経過に応じた所定時期を再算出させる制御を行う一方、
前記送信部が、赤ちゃんの成長度合い、体重、該当するオムツ情報を、それぞれ対応関係付けた前記対応関係情報を、ユーザーの端末機器に送信し、
前記受信部は、前記対応関係情報として表示されるオムツ選択画面によるユーザーの入力情報として、前記選択物品情報であるオムツ情報を受信することを特徴とする物品検索システム。
【請求項２】
ユーザーにより入力された前記初期情報における赤ちゃんの生年月日から、オムツを使用しなくなるであろうと推測されるときまでの使用期間を予め設定しておき、前記制御部が、前記計時部による時間の経過を確認し、前記使用期間に達したと判断したときに、前記オムツ情報およびオムツの前記発送情報の送信を解除する解除情報を、ユーザーの端末機器へ自動的に送信する一方、ユーザーの端末機器から、解除情報に対する解除不要情報を受信することを特徴とする請求項１に記載の物品検索システム。
【請求項３】
前記送信部は、販売者において、ユーザーの前記端末機器へオムツ情報を送信するタイミングを管理し得る適宜のタイミングで、前記算出機能で算出された所定時期の情報とともに、オムツ情報を、前記販売者サーバに送信することを特徴とする請求項１または請求項２に記載の物品検索システム。
【請求項４】
前記制御部は、前記記憶部に記憶されたプログラムに沿って、ＲＡＭに、前記ユーザーが入力した初期情報と、次回以降に異なるオムツ情報を送信した時期との関係を累積的に記憶しておき、予め用意された成長パターンテーブルとは異なるパターンを、新たなパターンとして成長パターンテーブルを追加で記憶させることを特徴とする請求項１乃至請求項３のいずれかに記載の物品検索システム。
【発明の詳細な説明】
【技術分野】
【０００１】
この発明は、赤ちゃんや、ペット用のオムツなど、時間の経過とともに使用する大きさなどが変化していく物品を、ユーザーが面倒な操作を行うことなく、手軽で簡単に手に入れることを可能にし得る物品検索システムに関する。
【背景技術】
【０００２】
従来、様々な物品情報がホームページや物品販売サイト上に表示され、インターネット回線を介して、ユーザーの端末機器に送信されている。これによって、ユーザーは携帯電話などの端末機器を用いて必要な物品を選択するのみで、当該必要な物品を購入することが可能となっている。
【０００３】
物品を販売する販売者は、ユーザーによって選択された物品情報を取得することで、ユーザーの端末機器に、この選択された物品と関連する関連物品情報を配信するなどのサービスを行うことも可能となっており、ユーザーのニーズに沿った様々なシステムが考えられている。
【０００４】
例えば、特許文献１には、広告媒体毎にユーザーに参照された情報が蓄積され、これを基に分析を行い、複数の広告媒体のいずれが広告効果を上げたかを分析し、ユーザーが買い物をし易い構成を得ようとすることが記載されている。
【先行技術文献】
【特許文献】
【０００５】
【特許文献１】特開２００１−３３１６２８号公報
【発明の概要】
【発明が解決しようとする課題】
【０００６】
一方、ユーザーの所望する物品の中には、時間の経過とともに使用する物品の種類が変化していくものがある。例えば、赤ちゃんは、時間の経過に従って身長、体重などが大きく変化していくため、その都度、サイズや種類の異なるオムツを購入しなければならない。ユーザーは、赤ちゃんの面倒を見るのに非常に忙しく、これら購入に時間をかける余裕はないので、できるだけ簡単に、赤ちゃんの成長に伴ったオムツを入手する必要がある。
【０００７】
本発明は、上記の問題に鑑みてなされたものであり、ユーザーに対してより少ない操作を行わせるのみで、必要な物品あるいは物品情報を、適当な時期に提供することが可能なシステムを提供することを課題とする。
【課題を解決するための手段】
【０００８】
本発明は、ユーザーにより入力された入力情報を端末機器を介して受信し、当該入力情報に基づいてユーザーの所望する物品を検索し、当該検索された物品情報を販売者サーバに送信する物品検索システムであって、複数種類の物品情報を記憶する記憶部と、時間の経過を計時する計時部と、ユーザーからの入力情報を受信する受信部と、当該受信部で受信された入力情報に基づき、前記記憶部に記憶された物品情報のうち、該当する物品情報を検索する検索部と、当該検索部で検索された検索物品情報を販売者サーバに送信する制御を行う制御部と、検索物品情報を販売者サーバに送信する送信部と、を有する物品検索サーバを備え、前記記憶部には、異なる複数の物品情報と、時間の経過との対応関係情報が複数記憶されており、前記送信部は、前記記憶部に記憶された前記対応関係情報を、ユーザーの端末機器に送信し、前記受信部は、前記入力情報として、ユーザーが入力した初期情報、及び前記対応関係情報から選択された選択物品情報を受信し、前記検索部は、前記受信部で受信した前記初期情報と、前記計時部で計時される時間の経過に基づき、前記記憶部に記憶された複数種類の物品情報から、該当する物品情報を検索する検索機能を有し、前記送信部は、前記受信部で受信された前記選択物品情報、または前記検索部の検索機能により検索された前記検索物品情報を、販売者サーバに送信し、前記制御部は、前記初期情報および前記計時部が計時した時間の経過に応じた所定時期を算出する算出機能を有し、前記送信部は、当該算出された所定時期に、ユーザーの前記端末機器に、前記検索物品情報とともに物品の発送情報を送信し、前記受信部は、ユーザーの前記端末機器から、物品または物品情報の発送情報を要求する要求情報を受信し、前記送信部は、前記要求情報に応じた所定時期に、ユーザーの前記端末機器に、前記検索物品情報とともに物品の発送情報を送信し、前記物品として、赤ちゃんのオムツを用い、前記記憶部には、オムツ情報テーブル、時間の経過に応じてオムツを対応付けて記憶した成長度合いテーブル、時間の経過と赤ちゃんの体重による複数のパターンを想定した成長パターンテーブルによる、異なるオムツ情報と、時間の経過との前記対応関係情報が複数記憶されており、前記制御部は、ユーザーからの前記要求情報に応じた所定時期と、前記算出機能によって、前記成長パターンテーブルのうち適用される成長パターンテーブル、及びこれに応じた成長度合いテーブルから算出した所定時期とを比較する比較機能を有し、当該比較機能で比較された結果に応じて、成長パターンテーブルのうち適用される成長パターンテーブルを変更し、当該適用された成長パターンテーブルに基づき、前記算出機能に、前記初期情報および前記計時部が計時した時間の経過に応じた所定時期を再算出させる制御を行う一方、前記送信部が、赤ちゃんの成長度合い、体重、該当するオムツ情報を、それぞれ対応関係付けた前記対応関係情報を、ユーザーの端末機器に送信し、前記受信部は、前記対応関係情報として表示されるオムツ選択画面によるユーザーの入力情報として、前記選択物品情報であるオムツ情報を受信することを特徴とする物品検索システムである。
【０００９】
この構成によれば、記憶部に記憶された複数種類の型、及び複数種類の大きさに応じた異なる物品情報と、時間の経過との対応関係情報を、ユーザーに端末機器を介して提供することが可能であるので、ユーザーはこの対応関係情報を見て所望の物品情報を選択できるので、非常に便利であり、また、ユーザーからの初期情報を端末機器を介して受信して、これを記憶部に記憶し、この初期情報に基づいて、検索部が検索機能を用いて、計時部で計時された時間の経過に基づく前記検索物品情報を検索し、これを販売者に送信することが可能となる。すなわち、ユーザーの初期情報から、時間の経過に伴い変化するユーザーの所望の物品情報である前記検索物品情報を簡単に検索することが可能であり、更に、前記検索物品情報を販売者へ送信することが可能な物品検索システムを提供できる。これにより、販売者に対して、ユーザーの所望の物品情報を、時間の経過に応じて容易に取得できるため、ユーザーに対して販売者を通じてタイムリーに必要な物品情報を提供することが可能となり、ユーザーにとっても初期情報を端末機器を介して入力することのみで、時間の経過に伴って変化する必要な物品情報などを入力する手間をかけることなく、この販売者を通じて、当該時間の経過に応じた必要な物品情報又は物品を取得することが可能となる。また、ユーザーから受信した要求情報に基づき、前記検索物品情報および発送情報を送信する所定時期を再算出するので、時間の経過によってユーザーが要求する所定時期を、よりユーザーのニーズに合わせることが可能となる。例えば、算出された所定時期が早過ぎた場合に、ユーザーの端末機器に前記検索物品情報および発送情報を送信した後に、ユーザーから要求情報を受信することで、当該所定時期を再算出することが可能となり、ユーザーに対して、その後、よりタイムリーな時期に前記検索物品情報および発送情報を提供することが可能となる。
【００１０】
また、送信部が、赤ちゃんの成長度合い、体重、該当するオムツ情報を、それぞれ対応関係付けた対応関係情報を、ユーザーの端末機器に送信し、受信部は、対応関係情報として表示されるオムツ選択画面によるユーザーの入力情報として、選択物品情報であるオムツ情報を受信するので、ユーザーは、赤ちゃんの現在の状況にあったオムツを選択する目安とすることができ、選択が容易となっている。
【００１１】
また、本発明は、ユーザーにより入力された前記初期情報における赤ちゃんの生年月日から、オムツを使用しなくなるであろうと推測されるときまでの使用期間を予め設定しておき、前記制御部が、前記計時部による時間の経過を確認し、前記使用期間に達したと判断したときに、前記オムツ情報およびオムツの前記発送情報の送信を解除する解除情報を、ユーザーの端末機器へ自動的に送信する一方、ユーザーの端末機器から、解除情報に対する解除不要情報を受信することを特徴とする。
【００１２】
この構成によれば、赤ちゃんの成長度合いに合わせて自動的に登録を解除するように設定することも可能であり、また、ユーザーの端末機器から、解除情報に対する解除不要情報を受信した場合は、ユーザー情報を解除せずに、引き続きオムツ情報およびオムツの発送情報の送信を継続させることが可能となる。
【００１３】
さらに、この発明は、前記送信部は、販売者において、ユーザーの前記端末機器へオムツ情報を送信するタイミングを管理し得る適宜のタイミングで、前記算出機能で算出された所定時期の情報とともに、オムツ情報を、前記販売者サーバに送信することを特徴とする。
【００１４】
この構成によれば、オムツ情報を、上記算出された所定時期情報とともに、適宜のタイミングで販売者側に送信することも可能であり、この場合、販売者側で、ユーザーにオムツを送付する、またはオムツ情報を送信するタイミングを管理し、物品検索サーバで算出された所定時期というタイミングに合わせてユーザーにオムツを送付する、またはオムツ情報を送信することも考えられる。
【００１５】
加えて、この発明は、前記制御部は、前記記憶部に記憶されたプログラムに沿って、ＲＡＭに、前記ユーザーが入力した初期情報と、次回以降に異なるオムツ情報を送信した時期との関係を累積的に記憶しておき、予め用意された成長パターンテーブルとは異なるパターンを、新たなパターンとして成長パターンテーブルを追加で記憶させることを特徴とする。
【００１６】
この構成によれば、ＲＡＭに、ユーザーが入力した初期情報と、次回以降に異なるオムツ情報を送信した時期との関係を累積的に記憶しておき、予め用意された成長パターンテーブルとは異なるパターンを、新たなパターンとして成長パターンテーブルを追加で記憶させるので、物品検索サーバにおいて、蓄積されるユーザー情報に基づいて、赤ちゃんの成長パターンを新たに算出し、これをパターン化して成長パターンテーブル１ａ３に追加して記憶させることも可能であり、この場合、各ユーザーにおいてユーザー情報の初期情報と、次回以降にサイズの異なるオムツ情報を送信した時期との関係を累積的にＲＡＭのユーザー情報とは別の領域に記憶しておき、予め用意された成長パターンテーブルとは異なるパターンの出現率が所定率を上回ったと判断した場合に、新たなパターンとして成長パターンテーブルを追加で記憶させる。
【発明の効果】
【００１７】
本発明の物品検索システムによれば、ユーザーに対してより少ない操作を行わせるのみで、必要な物品あるいは物品情報を、適当な時期に提供することが可能となる。
【図面の簡単な説明】
【００１８】
【図１】本実施形態の物品検索システムを説明するための説明図である。
【図２】本実施形態の物品検索サーバの機能を示す機能ブロック図である。
【図３】本実施形態において、オムツ情報と、時間の経過との関係を説明するための説明図である。
【図４】本実施形態において、赤ちゃんの成長度合いを示すグラフであって、横軸が時間の経過、縦軸が体重を示す。
【図５】本実施形態におけるユーザーの端末機器の機能を示す機能ブロック図である。
【図６】本実施形態における販売者用サーバの機能を示す機能ブロック図である。
【図７】本実施形態の物品検索システムを用いるユーザーのフローを簡単に説明する説明フロー図である。
【図８】本実施形態の物品検索システムを用いるユーザーのフローを詳細に説明する説明フロー図である。
【図９】本実施形態の物品検索システムを用いるユーザーのフローを詳細に説明する説明フロー図である。
【図１０】本実施形態において、ユーザーが赤ちゃんに関する情報など初期情報を登録する際に表示部に表示される受付入力画面である。
【図１１】本実施形態において、ユーザーが赤ちゃんのオムツを選択する際に表示部に表示されるオムツ選択画面である。
【図１２】本実施形態の物品検索サーバの検索機能を説明するためのフロー図である。
【図１３】本実施形態の物品検索サーバの検索機能を説明するためのフロー図である。
【図１４】本実施形態の物品検索サーバの検索機能を説明するためのフロー図である。
【図１５】本実施形態の物品検索サーバの検索機能を説明するためのフロー図である。
【発明を実施するための形態】
【００１９】
本発明の物品検索システムの実施形態について、物品として、赤ちゃんのオムツを例にとり、図１乃至図１５を用いて、説明する。
【００２０】
図１は、本実施形態の物品検索システムを説明するための説明図である。
【００２１】
本実施形態の物品検索システムの詳細について説明する。本実施形態の物品検索システムでは、インターネット回線Ｎ上において、例えば自身のホームページなどに所定の情報を掲載し、当該所定の情報を確認したユーザーによって入力された必要事項に関する初期情報データを受信することで、物品の検索が行われる。
【００２２】
この物品検索システムには、物品検索サーバＳ１が用いられ、当該物品検索サーバＳ１は、複数のユーザーの端末機器Ｓ２と、物品を販売する販売者用サーバＳ３と通信可能に接続されている。
【００２３】
端末機器Ｓ２としては、ＰＣ、携帯電話など、インターネット回線Ｎを介して情報データの送受信を行うことが可能な機器が用いられる。
【００２４】
販売者用サーバＳ３は、物品を販売する複数の販売業者がそれぞれ所有するサーバであり、物品検索サーバＳ１と、情報データを通信可能に接続されている。
【００２５】
本実施形態では、物品検索サーバＳ１と販売者用サーバＳ３とが専用端末で接続されているが、これに限定されるものでなく、インターネット回線Ｎを介して接続されていても良い。もちろん、物品検索サーバＳ１とユーザーの端末機器Ｓ２とが専用端末で接続されていてもよい。
【００２６】
また、本実施形態では、物品検索サーバＳ１は、販売者用サーバＳ３と接続されているが、販売者側と通信可能であれば、これを限定するものでなく、例えば、販売者側が所有するメールアドレスに、インターネット回線Ｎを介して通信のやりとりを行うことも可能であり、物品検索サーバＳ１で検索された物品情報が販売者側に送信されればよい。仮に、物品検索サーバＳ１が、インターネット回線Ｎを介して検索された物品情報データを、販売者側のメールアドレスに送信した場合、販売者側において、この送信された物品情報データを販売者用サーバＳ３に記憶させるか、もしくは物品の製造元へ物品情報データ又はこれに関する情報データを送信することにより、ユーザーへの物品の送付の準備を進めることになる。
【００２７】
図２は、本実施形態の物品検索サーバの機能を示す機能ブロック図である。
【００２８】
物品検索サーバＳ１は、複数種類の物品情報を記憶する記憶部１と、時間の経過を計時する計時部２と、ユーザーからの入力情報を受信する受信部３と、当該受信部３で受信された入力情報に基づき、記憶部１に記憶された物品情報のうち、該当する物品情報を検索する検索部としての検索部４と、当該検索部４で検索された検索物品情報を販売者側に送信する制御を行う制御部としてのＣＰＵ５と、当該ＣＰＵ５の制御によって、前記検索物品情報を販売者側に送信する送信部６とを備える。また、物品検索サーバＳ１には、サーバ管理者が様々な入力操作を行う操作部７と、サーバ管理者の入力操作の内容などを表示する表示部８とを備える。そのほか、物品検索サーバＳ１には、外部からデータを取り込むためにＳＤやＣＤ−ＲＯＭ、ＤＶＤなどの外部記憶媒体と接続可能な外部入力端子部９が備えられており、この外部入力端子部９を介して外部記憶媒体から、メーカーの新発売のオムツ情報を取り込むことが可能となっている。
【００２９】
記憶部１には、複数種類の型、すなわち、オムツの種類によって異なる形状、複数種類のメーカー及び複数種類のサイズに応じた異なるオムツ情報と、時間の経過、すなわち、赤ちゃんの成長度合いと、この赤ちゃんの成長度合いとオムツ情報との関係を示す対応関係情報としての成長パターンとが記憶されている。
【００３０】
以下に、記憶部１に記憶されているオムツ情報、成長度合い、成長パターンの詳細について説明する。
【００３１】
オムツ情報として、赤ちゃんのオムツが各製造メーカー、型、サイズが複数記憶されているＲＡＭ１ａを有する。オムツの型としては、パンツタイプ、テープタイプがある。また、サイズとしては、小さいものから、新生児サイズ、Ｓサイズ、Ｍサイズ、Ｌサイズ、ＢＩＧサイズの５つに区分けされている。
【００３２】
ＲＡＭ１ａには、各メーカーのサイズ毎にオムツの情報が記憶されたオムツ情報テーブル１ａ１と、赤ちゃんの成長度合いに関する情報が記憶された成長度合いテーブル１ａ２とが記憶されている。
【００３３】
オムツ情報テーブル１ａ１と、成長度合いテーブル１ａ２とは、それぞれのデータが関連付けられる形で対応するように記憶されている。すなわち、図３に示すように、オムツ情報テーブル１ａ１に記憶されている各メーカーのオムツは、成長度合いテーブル１ａ２に記憶されている成長度合いに応じた数値と対応付けられて記憶されている。
本実施形態では、この成長度合いに応じた数値を赤ちゃんの体重（ｋｇ）としている。例えば、Ａ社のオムツが５つのサイズ毎に、１〜２０の数値のうちいずれかの数値範囲で対応付けられるように記憶されている。
【００３４】
すなわち、成長度合いテーブル１ａ２では、時間の経過、すなわち、赤ちゃんの体重に応じて、オムツの各メーカーの複数種類のサイズを対応付けて記憶しているのである。
【００３５】
次に、図４は、赤ちゃんの成長度合いをグラフに示したものであり、横軸が時間の経過を１か月単位で示し、縦軸が体重をｋｇで示している。このグラフでは、赤ちゃんの様々な成長過程が示されている。赤ちゃんはそれぞれ成長速度や、成長の変化具合が異なるが、このグラフによって、複数のパターンが想定されており、この複数のパターンは、成長パターンテーブル１ａ３として、ＲＡＭ１ａに記憶されている。
【００３６】
先述した成長度合いテーブル１ａ２は、このような成長速度の異なる複数のパターンに応じて、複数記憶されている。
【００３７】
記憶部１には、オムツ情報テーブル１ａ１、成長度合いテーブル１ａ２、成長パターンテーブル１ａ３による、異なるオムツ情報と、時間の経過（成長度）との対応関係情報が、ＲＯＭ１ｂに複数記憶されている。
【００３８】
従って、この記憶部１には、ユーザーの端末機器Ｓ２から、時間の経過に応じて複数回、入力された情報を受信部３に基づき、赤ちゃんの成長速度が、上記グラフのいずれのパターンにあてはまるかを検索し、赤ちゃんの成長速度に合わせて、最適なオムツの種類はどれかを検索することが可能となるようなデータが記憶されているのである。これら検索については後述する。なお、後述するが、ユーザーの端末機器Ｓ２から、初期情報データを受信部３を介して受信した際に、オムツを検索するために、複数の成長パターンテーブル１ａ３のうち平均的なパターン（本実施形態においては上から３番目の曲線）が選択される。
【００３９】
記憶部１は、外部からの入力操作に基づき、新たな情報を記憶することが可能となっている。すなわち、新製品のオムツ情報を新たにＲＡＭ１ａに記憶させることが可能である。この場合、例えば、物品検索サーバＳ１における外部入力端子部９に、ＣＤ−ＲＯＭやメモリスティックなどの外部記憶媒体を取り付けて接続し、当該外部記憶媒体に記憶されたオムツの情報を、キーボードなどの操作手段を用いた入力操作により、ＲＡＭ１ａに書き込むことで、データを上書きする。また、物品検索サーバＳ１には、インターネット回線Ｎや専用回線と接続可能な通信制御部Ｔが備えられていることで、外部からの入力操作により、新たなオムツ情報をＲＡＭ１ａにおけるオムツ情報テーブル１ａ１に書き込むことも可能となっている。
【００４０】
これにより、例えば、オムツの各メーカー自身が、物品検索サーバＳ１とアクセスして入力操作することで、新製品のオムツ情報を適宜タイミングで上書きなどすることが可能となる。ＲＡＭ１ａに対しては、上記新製品のオムツ情報を上書きするほか、販売を停止するオムツ情報を削除することも勿論可能である。
【００４１】
また、記憶部１には、ユーザーの初期情報を含め、個人情報が記憶されているＲＡＭ１ｃが設けられている。ユーザーの初期情報としては、氏名、メールアドレス、住所、赤ちゃんの氏名、体重、生年月日、性別、希望メーカー名、希望のオムツの型などが含まれる。また、ＲＡＭ１ｃには、情報が提供されたオムツの種類、提供時期なども、各ユーザーに対応付けて記憶される。
【００４２】
計時部２は、定期的にクロック信号を発する発信部２１を備えている。ＣＰＵ５は、この発信部２１から発信されるクロック信号を用いて取得する時間の経過情報に基づき、検索ＣＰＵ４の検索制御を行うよう指令する。
【００４３】
受信部３は、ユーザーの端末機器Ｓ２を含む外部から送られてくるデータを受信可能であり、この受信されたデータを一時的に記憶する一時記憶部としての通信ＲＡＭ３１を有する。この通信ＲＡＭ３１には、外部から受信したデータを、所定のデータ容量毎に一括して一時的に記憶し、その後、例えば、ワークＲＡＭ１０に一時的に記憶される。
【００４４】
検索部４は、ＣＰＵ５の指令により、ユーザーの所望するオムツ情報を検索する。まず、記憶部１のＲＡＭ１ａのオムツ情報テーブル１ａ１、成長度合いテーブル１ａ２、成長パターンテーブル１ａ３のデータを用い、ＲＡＭ１ｃに記憶されたユーザーの初期情報データに基づき、各メーカーの各サイズのオムツから該当するオムツ情報を検索する検索機能を有する。
【００４５】
検索部４は、検索結果として得られたオムツ情報に対して、ユーザーから修正を要求された際に、再度、該当するオムツを検索する検索機能を有する。例えば、ユーザーからオムツの型やメーカー、あるいは大きさの修正を要求された場合には、この要求された内容に応じて該当するオムツを検索する。具体的には、ユーザーから修正を要求された内容は、受信部３を介して修正要求データとして受信され、通信ＲＡＭ３１に一時的に記憶された後、順次ワークＲＡＭ１０に記憶される。そして、ＣＰＵ５の制御によってＲＡＭ１ｃの各ユーザーの個人情報に履歴として記憶される。検索部４は、ＲＡＭ１ｃに記憶された新たなユーザーの個人情報に関するデータに基づき、オムツ情報テーブル１ａ１から該当するメーカーやサイズのオムツを検索するのである。
【００４６】
制御部としてのＣＰＵ５は、ユーザーの端末機器Ｓ２から受信部３を介して、ＲＡＭ１ｃに一時的に記憶された初期情報データと、計時部２が計時した時間の経過とに応じた所定時期を算出する算出機能を有する。
【００４７】
すなわち、ＣＰＵ５は、ＲＡＭ１ｃに記憶されたユーザーの初期情報データのうち、生年月日に関する情報と、ＲＡＭ１ａに記憶された成長度合いテーブル１ａ２のうち、成長パターンテーブル１ａ３における平均値と対応するパターンに基づく成長度合いテーブル１ａ２を参照して、使用しているオムツの種類が変わる所定時期を算出する機能を有する。
【００４８】
さらに、ＣＰＵ５は、この算出された赤ちゃんの成長度に応じた所定時期に、前記検索物品情報とともに物品の発送情報（発送時期など）を、送信部６からユーザーの端末機器に送信する制御を行う。前記検索物品情報には、成長度に応じたオムツのサンプルに関する情報が含まれる。オムツのサンプルに関する情報として、基本的には、ユーザーの所望するメーカーのオムツのサンプルに関する情報が送信されるが、所望するメーカー以外の他メーカーのオムツのサンプルに関する情報や、型の異なるオムツのサンプルに関する情報を付加的に送信することも可能である。
【００４９】
これによって、時間の経過に応じて変化する所望のオムツの情報を、ユーザーから受信することなく送信することを可能とするので、ユーザーは時間の経過に応じて必要と思う物品情報を、その都度、端末機器Ｓ２を用いて入力するといった面倒な作業をすることなく、必要な物品情報を得ることが可能となり、非常に便利である。
【００５０】
ＣＰＵ５は、先述したように、検索部４で検索された検索物品情報としてのオムツ情報を販売者側に送信部６を介して送信する制御を行う。この検索物品情報としてのオムツ情報を販売者側に送信するタイミングは、上記算出した所定時期に行われる。すなわち、例えば、上記算出した所定時期が６か月後であった場合に、検索物品情報としてのオムツ情報を６か月後に販売者側に送信する。
【００５１】
これによって、販売者側は、ユーザーの所望のオムツ情報を、時間の経過に応じて容易に取得できるため、ユーザーに対して販売者を通じて必要なオムツ情報をタイムリーに提供することが可能となり、ユーザーにとっても初期情報を端末機器Ｓ２を介して入力することのみで、時間の経過に伴って変化する必要なオムツ情報などを入力する手間をかけることなく、この販売者を通じて、当該時間の経過に応じた必要なオムツ情報又はオムツのサンプルを取得することが可能となる。
【００５２】
上記算出する所定時期は、記憶部１における成長パターンテーブル１ａ３のうち適用されたパターンに基づく成長度合いテーブル１ａ２から算出される、該当するオムツのサイズが変わる時期よりも１か月前に設定することで、実際にサイズの変更が必要となる時期よりも１か月前に、ユーザーは変更すべきオムツ情報またはオムツのサンプルを取得することが可能となる。
【００５３】
送信部６は、ユーザーが初期情報を入力する際に必要な情報として、記憶部１のＲＡＭ１ａにおけるオムツ情報テーブル１ａ１に記憶されたオムツの情報と、時間の経過によって使用するオムツのサイズが変更する対応関係情報を、ＣＰＵ５の制御によって、インターネット回線Ｎを介してユーザーの端末機器Ｓ２に送信する。
【００５４】
本実施形態では、送信部６を介して送信された上記対応関係情報を、ホームページ上で掲載することで、ユーザーが端末機器Ｓ２を用いて、インターネット回線Ｎを介して当該ホームページにアクセスすることで、送信部６は、結果的に、前記対応関係情報をユーザーの端末機器Ｓ２に送信することになる。
【００５５】
ここで、受信部３および送信部６は、通信制御部Ｔに設けられており、この通信制御部Ｔにおいて、外部との情報データの送受信を制御している。この通信制御部Ｔでは、通信ＣＰＵ１１が設けられており、ＣＰＵ５の制御を介して直接的にデータの送受信を制御している。この通信ＣＰＵの直接的な制御により、上述した外部から受信するデータの処理、および外部へ送信するデータの処理が行われている。
【００５６】
受信部３が、ユーザーの端末機器Ｓ２から、オムツまたはオムツ情報の発送情報を要求する要求情報を受信した場合、例えば、物品検索サーバＳ１の検索結果として、ユーザーの端末機器Ｓ２にオムツまたはオムツ情報を送信する前に、ユーザーの赤ちゃんの成長度合いが早くて、使用するオムツのサイズや種類を変更する必要が出てきたことを理由として、ユーザーの端末機器Ｓ２から上記要求情報を受信した場合、ＣＰＵ５は、この要求情報に応じた赤ちゃんの成長度に応じた所定時期に、ユーザーの端末機器Ｓ２に、検索部４で検索した前記検索物品情報とともに、オムツの発送時期を含めた発送情報を、送信部６を介して送信する制御を行う。
【００５７】
本実施形態では、このユーザーの端末機器Ｓ２からの要求情報は、インターネット回線Ｎを介してホームページ上にアクセスすることで送信される。この送信された要求情報は、通信制御部Ｔにおいて、受信部３で受信され、通信ＣＰＵ１１の制御により、通信ＲＡＭ３１に一時的に記憶され、順次、ワークＲＡＭ１０に記憶される。その後、ＣＰＵ５の制御指示により、検索部４において、通信ＲＡＭ３１で記憶された上記要求情報に基づき、該当するオムツ情報を検索する。ＣＰＵ５は、検索部４で検索された該当するオムツ情報を、通信制御部Ｔにおける通信ＲＡＭ３１に一時的に記憶し、通信ＣＰＵ１１の制御によって、送信部６から送信され、インターネット回線Ｎを介してユーザーの端末機器Ｓ２へ送信される。
【００５８】
これにより、ＣＰＵ５の算出機能によって算出された時間の経過に応じた所定時期に、ユーザーに対して、前記検索物品情報と発送情報を送信する制御を行うので、時間の経過に応じて変化する所望のオムツ情報を、ユーザーから受信することなく送信することを可能とした。その結果、ユーザーは時間の経過に応じて必要と思うオムツ情報を入力するといった面倒な作業をすることなく、必要なオムツ情報を得ることが可能となり、非常に便利である。
【００５９】
また、ＣＰＵ５は、ユーザーからの要求情報に応じた所定時期と、算出機能によって算出した所定時期とを比較する比較機能を有し、この比較機能で比較された結果に応じて、算出機能に、ユーザーが入力した初期情報、および計時部２において発信部２１の発信により計時した時間の経過に応じた所定時期を再算出させる制御を行う。
【００６０】
すなわち、ユーザーが赤ちゃんの成長度合いが早過ぎて、未だオムツの送付またはオムツ情報が送信されない場合に、ユーザーが端末機器Ｓ２を用いて、オムツの送付またはオムツ情報の送信を要求するときに、この制御が行われる。
【００６１】
具体的には、このユーザーの端末機器Ｓ２からの要求情報は、インターネット回線Ｎを介してホームページ上にアクセスすることで送信される。この送信された要求情報は、通信制御部Ｔにおいて、受信部３で受信され、通信ＣＰＵ１１の制御により、通信ＲＡＭ３１に一時的に記憶され、順次、ワークＲＡＭ１０に記憶される。
【００６２】
その後、ＣＰＵ５の制御指示により、ＲＡＭ１ｃに記憶されている複数のユーザーの個人情報のうち、要求情報のあったユーザーの個人情報について、成長パターンテーブル１ａ３のうち適用されるパターン及びこれに応じた成長度合いテーブル１ａ２から算出された所定時期と、ユーザーからの要求情報に含まれる所定時期とを比較する。この比較結果に応じて、成長パターンテーブル１ａ３のうち、適用されるパターンを変更し、これをＲＡＭ１ｃのユーザーの個人情報に記憶させる。そして、上記適用されたパターンに基づき、ユーザーの個人情報のうち赤ちゃんの生年月日と、発信部２１の発信により計時した時間の経過に応じて、赤ちゃんの使用するオムツのサイズが変更すると推測する所定時期を再算出させるのである。さらに、ＣＰＵ５は、ユーザーの要求情報に基づき、該当するオムツ情報を、上記再算出された所定時期に、通信制御部Ｔにおける通信ＲＡＭ３１に一時的に記憶し、通信ＣＰＵ１１の制御によって、送信部６から送信され、インターネット回線Ｎを介してユーザーの端末機器Ｓ２へ送信される。また、ＣＰＵ５は、上記再算出された所定時期に、ユーザーおよびこのユーザーに関するオムツ情報を、販売者側に送信することも可能となっている。
【００６３】
これにより、ユーザーから要求情報を受信することにより、検索部４が検索した前記検索物品情報およびユーザーまたは販売者への発送情報の送信時期を変更することで、時間の経過に伴って変化するオムツ情報の上記発送時期に対応することが可能となり、ユーザーに対してタイムリーな時期にオムツ情報および発送情報を提供することが可能となるのである。
【００６４】
本実施形態では、物品検索サーバＳ１は、検索部４によって検索された該当するオムツ情報を、記憶部１における成長パターンテーブル１ａ３のうち、適用されるパターンに応じて選択される成長度合いテーブル１ａ２に基づいて算出される所定時期に、販売者側に送信しているが、これに限定されるものでなく、上記該当するオムツ情報を、上記算出された所定時期情報とともに、適宜のタイミングで販売者側に送信することも可能である。この場合、販売者側で、ユーザーにオムツを送付する、またはオムツ情報を送信するタイミングを管理し、物品検索サーバＳ１で算出された所定時期というタイミングに合わせてユーザーにオムツを送付する、またはオムツ情報を送信することも考えられる。
【００６５】
図５は、本実施形態におけるユーザーの端末機器Ｓ２の機能を示す機能ブロック図である。
【００６６】
端末機器Ｓ２は、ユーザーの入力操作が可能なボタンなどの操作部５１と、この操作部５１を用いた操作により、インターネット回線Ｎを介して、物品検索サーバＳ１が管理するホームページにアクセスし、その画面を表示するＬＣＤなどの表示部５２と、この表示部５２に表示される入力画面に従って、ユーザーの初期情報データを入力した内容を一時的に記憶させるＲＡＭ５３とを備え、ＲＡＭ５３に記憶された初期情報データを、通信制御部Ｍにおける通信ＲＡＭ５４に一時的に記憶し、通信ＣＰＵ５５の制御により、送信部５６からインターネット回線Ｎを介して、物品検索サーバＳ１側へ送信する。通信制御部Ｍには、上記ホームページにおける情報データを含め、インターネット回線Ｎを介して様々な情報データを受信する受信部５７を有する。
【００６７】
また、端末機器Ｓ２は、上述した各機能を制御するＣＰＵ５８を有するほか、これら機能を制御するための様々な実行プログラムが記憶されたＲＯＭ５９を有する。
【００６８】
さらに、本実施形態における端末機器Ｓ２の一つとして携帯電話が用いられており、この場合は、電話機能部６０が備えられる。電話機能部６０の詳細については、これを省略する。また、端末機器Ｓ２には、スマートカードなどの外部記憶媒体を接続する外部記憶媒体接続用端子や、ＵＳＢ端子を接続するための接続端子を含む外部入力端子部６１を有する。
【００６９】
図６は、本実施形態における販売者用サーバＳ３の機能を示す機能ブロック図である。
【００７０】
この販売者用サーバＳ３は、物品検索サーバＳ２から送信されるユーザー情報を、通信制御部Ｋにおける通信ＣＰＵ７１の制御により受信部７２で受信し、これを通信ＲＡＭ７３に一時的に順次記憶し、所定量が記憶される毎にワークＲＡＭ８０に記憶され、ＣＰＵ７４の制御によって、記憶部７５のＲＡＭ７５ａにおけるユーザー情報テーブル７５ａ１に上書きされる。なお、通信制御部Ｋは、ユーザーの端末機器Ｓ２に、オムツ情報を送信する送信部７６を有する。ＲＡＭ７５ａは、販売者の販売するオムツ情報を記憶するオムツ情報テーブル７５ａ２を有する。また、記憶部７５は、ＣＰＵ７４が各機能を制御するプログラムなどを記憶するＲＯＭ７５ｂを有する。
【００７１】
また、販売者用サーバＳ３には、例えば、新たなオムツ情報に関するデータを、ＲＡＭ７５ａにおけるオムツ情報テーブル７５ａ２に記憶させるために、管理者が入力操作を行う操作部７７と、この入力操作やオムツ情報を含む多くの情報を表示する表示部７８とを有する。なお、販売者用サーバＳ３は、時間の経過を計時する計時部７９を有し、計時部７９の計時情報に基づく所定時期に、ユーザーの端末機器Ｓ２に、所定のオムツ情報を送信する。
【００７２】
さらに、販売者用サーバＳ３では、オムツ情報テーブル７５ａ２に記憶されたオムツ情報を、送信部７６を介して、物品検索サーバＳ１に送信する。この場合、物品検索サーバＳ１では、ＲＡＭ１ａにおけるオムツ情報テーブル１ａ１に新規入力、または上書きさせることが可能となり、ユーザーは、常に新たなオムツ情報を取得できることになる。
【００７３】
本実施形態の販売者用サーバＳ３は、ユーザー情報を累積的に記憶するユーザー情報テーブル７５ａ１を有しているが、このような形態に限定されるものでなく、ユーザー情報など個人情報については、別途、セキュリティが図られた専用サーバを設けて、この専用サーバにユーザー情報を記憶させることも可能である。
【００７４】
次に、本実施形態の物品検索システムを用いたフローについて、図７乃至図１５を参照しつつ説明する。
【００７５】
図７は、本実施形態の物品検索システムを用いるユーザーのフローを簡単に説明する説明フロー図である。
【００７６】
この実施形態では、ユーザーは端末機器Ｓ２を用いて、物品検索サーバＳ１を管理する管理者のホームページにアクセスし、乳幼児（赤ちゃん）に関する情報を登録する（ＳＴ１）と、乳幼児が成長して、使用するオムツのサイズが変更になると思われる時期に、変更するサイズのサンプルが、販売業者から送付され（ＳＴ２）、これを受けてユーザーは端末機器Ｓ２を用いて、再度、上記ホームページにアクセスして必要なオムツを注文し（ＳＴ４）、その後、販売業者から注文されたオムツが送付される（ＳＴ５）というフローになっている。
【００７７】
図８および図９は、本実施形態の物品検索システムを用いるユーザーのフローを詳細に説明する説明フロー図である。
【００７８】
まず、ユーザーは、オムツの販売店や、販売されているオムツのパッケージ、あるいは雑誌を見たり、端末機器Ｓ２を用いてインターネット回線Ｎを介してサイトにアクセスしホームページを確認することで、オムツ情報を取得する（ＳＴ１ａ）。
【００７９】
次に、アクセスしたホームページから赤ちゃんに関する情報を含む初期情報を登録する（ＳＴ１ｂ）。
【００８０】
図１０は、ＳＴ１において、ユーザーが赤ちゃんに関する情報など初期情報を登録する際に表示部５２に表示される受付入力画像５２ａを示している。ユーザーは、この受付入力画像５２ａに沿って、親の氏名、メールアドレス、住所、赤ちゃんの氏名、体重、生年月日、性別、オムツの希望メーカーを入力し、これをサイトの管理者に送信する。
【００８１】
図１１は、ＳＴ１において、ユーザーが赤ちゃんのオムツを選択する際に表示部５２に表示されるオムツ選択画面５２ｂを示している。このオムツ選択画面５２ｂでは、赤ちゃんの成長度合い、体重、該当するオムツ情報を、それぞれ対応関係付けられて（対応関係情報）表示されている。これにより、ユーザーは、赤ちゃんの現在の状況にあったオムツを選択する目安とすることができ、選択が容易となっている。
【００８２】
さらに、物品検索サーバＳ１を管理する管理者は、ユーザーから登録された初期情報から、例えば、赤ちゃんの生年月日から該当するサイズ、メーカーのオムツをサンプルとして、所定時期にユーザーに送付する（ＳＴ２）。オムツのサンプルは、生まれた時の体重から体重推移を想定して、オムツサイズが変わると思われる時期に送付することも可能である。送付されたオムツのサンプルとともに、端末機器Ｓ２からインターネット回線Ｎを介してアクセスし得るＵＲＬや二次元バーコードを記載した案内や、ＦＡＸオーダー用紙を送付することにより、その後のユーザーのアクセス手段の種類に広がりを持たせることが可能となる。  なお、このオムツのサンプルの送付の代わりに、ユーザーの端末機器Ｓ２にオムツのサンプル情報として送信することも可能である。
【００８３】
その後、ユーザーは、送付されたオムツのサンプルを使用して注文するか否かを判断し、使用することを決定した場合は、端末機器Ｓ２を用いて管理者にオムツの注文を送信する（ＳＴ３）。このオムツの注文は先述したように、様々な手段がとられる。
【００８４】
さらに、管理者側では、ユーザーからのオムツの注文を受け付け、販売者側へオムツの注文の連絡と、ユーザーへのオムツの発送を送信する。この場合、管理者が販売者を兼用している場合は、注文を受けたオムツのメーカーに、上記オムツの発送を送信する。
【００８５】
そして、販売者は、ユーザーから注文されたオムツをユーザーに送付し、ユーザーがこれを受け取るのである（ＳＴ４）。
【００８６】
本実施形態において、ユーザーが端末機器Ｓ２を用いて、上述したユーザー情報および所望するオムツ情報を入力して、物品検索サーバＳ１側へ送信する機能フローについて説明する。
【００８７】
物品検索サーバＳ１は、ネットワークを通じて、自身のホームページにおいて、オムツに関する情報を提供する。すなわち、物品検索サーバＳ１において、ＣＰＵ５は、ＲＡＭ１ａにおけるオムツ情報テーブル１ａ１に記憶された各メーカーのオムツ情報を、成長度合いテーブル１ａ２に記憶された赤ちゃんの成長度合いと対応付け、通信ネットワークを介して、自身のホームページ上に表示させる。この表示内容は、先述した図１１に示す通りである。
【００８８】
このホームページ上での表示は、物品検索サーバＳ１の送信部６を介して送信された上記オムツ情報を、専用サーバにおけるＲＡＭに一時記憶させ、この専用サーバにおける表示制御部の制御により行われる。
【００８９】
そして、ユーザーが、端末機器Ｓ２を用いて、上記ホームページにアクセスすることにより、表示部５２において、上述した赤ちゃんの成長度合いに応じたオムツ情報に関するオムツ選択画面５２ｂなどの表示がなされる。表示部５２においては、ユーザー及びユーザーの赤ちゃんに関する情報の入力を促す受付入力画像５２ａも表示される。ユーザーは、この受付入力画像５２ａに従い、操作部５１を用いて、ユーザー及びユーザーの赤ちゃんの初期情報を入力操作することになる。
【００９０】
この初期情報としては、親氏名、メールアドレス、子供の体重、生年月日、性別、オムツの希望メーカーなどが入力される。ユーザーの操作部５１を用いた入力操作によって、これら初期情報データは、ＲＡＭ５３に一時的に記憶される。そして、ＲＡＭ５３に記憶された初期情報データは、ユーザーが、受付入力画像５２ａに従って、操作部５１を操作することによって、送信部５６を介してインターネット回線Ｎへと送信される。初期情報データの送信部５６からの送信は、通信制御部Ｍとしての通信用ＣＰＵ５５の制御によって行われる。
この初期情報データは、インターネット回線Ｎを介して、物件検索サーバＳに送信される。
【００９１】
図１２乃至図１５は、本実施形態の物品検索サーバの検索機能を説明するためのフロー図である。
【００９２】
物件検索サーバＳでは、ユーザーの端末機器Ｓ２から送信された情報データを、受信部３で受信される（ＳＴ１１）。
【００９３】
受信部３で受信された情報データは、通信ＲＡＭ３１に一時的に記憶される（ＳＴ１２）。情報データは、通信制御部としての通信用ＣＰＵ１１の制御により、受信部３を介して順次受信される。
【００９４】
この通信ＲＡＭ３１へ一時的に記憶された情報データは、所定量のデータが記憶される毎に、制御部５としてのＣＰＵによって、ワークＲＡＭ１０に記憶される（ＳＴ１３）。
【００９５】
次いで、ＣＰＵ５の制御により、記憶部１のＲＯＭ１ｂに記憶されているプログラムに沿って、ワークＲＡＭ１０に記憶された情報データに含まれるユーザー情報に対して、ＲＡＭ１ｃに記憶されているユーザー情報を参照する（ＳＴ１４）。
【００９６】
そして、ＣＰＵ５の制御により、ワークＲＡＭ１０に記憶された情報データに含まれるユーザー情報が、ＲＡＭ１ｃに記憶されているいずれかのユーザー情報に含まれているか否かを判断する（ＳＴ１５）。
【００９７】
ＳＴ１５において、ＲＡＭ１ｃには対応するユーザー情報が記憶されていないと判断されると、ＣＰＵ５の制御により、ワークＲＡＭ１０に記憶された情報データに含まれるユーザー情報を、ＲＡＭ１ｃに新たに記憶する（ＳＴ１６）。なお、ＳＴ１５において、ＲＡＭ１ｃには対応するユーザー情報が記憶されていると判断された場合については、後述する。
【００９８】
そして、ＣＰＵ５の指示により、検索部４によって、ワークＲＡＭ１０に記憶された情報データに含まれるユーザー情報が、ＲＡＭ１ａの複数の成長パターンテーブル１ａ３を参照し、いずれのパターンと対応するかを参照して対応するパターンを検索する（ＳＴ１７）。
【００９９】
さらに、ＣＰＵ５の制御により、ＲＡＭ１ｃのユーザー情報から検索されたパターンに基づいて、複数の成長パターンテーブル１ａ２のうち対応する成長パターンテーブル１ａ２を検索する（ＳＴ１８）。
【０１００】
ＳＴ１８において、検索された成長パターンテーブル１ａ２の種類を、ＣＰＵ５の制御により、ＲＡＭ１ｃのユーザー情報に付加して記憶する（ＳＴ１９）。
【０１０１】
ＣＰＵ５は、ワークＲＡＭ１０に記憶された情報データに含まれるユーザー情報および希望するオムツ情報を、通信制御部Ｔにおける通信ＲＡＭ３１に一時的に記憶する制御を行い、通信ＣＰＵ１１の制御によって、送信部６を介して販売者サーバＳ３に送信する制御を行う（ＳＴ２０）。
【０１０２】
一方で、ＣＰＵ５は、計時部２の計時情報によって、上記検索された成長パターンテーブル１ａ２に基づいて、使用するオムツのサイズを変更する所定時期となっているかを定期的に判断する制御を行う（ＳＴ２１）。
【０１０３】
次に、ＣＰＵ５の制御による、時間の経過に伴う検索システムについて説明する。
【０１０４】
図１４は、本実施形態において、時間の経過に伴う検索フローを説明するためのフロー図である。
【０１０５】
ＣＰＵ５は、ＲＡＭ１ｃに記憶されている複数のユーザー情報について、それぞれ、オムツのサイズが変更となる時期が、ユーザー情報に付加されているＲＡＭ１ａの成長度合いテーブル１ａ２の種類から算出された所定時期に達しているかを判断する（ＳＴ３１）。
【０１０６】
そして、ＣＰＵ５が上記所定時期に達していないと判断した場合は、再度、この判断を行うまで待機する。このＣＰＵ５は、ＲＯＭ１ｂのプログラムに基づいて、この判断を定期的に行われるように制御する。
【０１０７】
ＣＰＵ５は、ＳＴ３１において所定時期の達したと判断した場合、ＲＡＭ１ｃのユーザー情報を参照して、先に、検索部４で検索されたオムツ情報を確認する（ＳＴ３２）。
【０１０８】
さらに、ＣＰＵ５は、該当するユーザー情報とオムツ情報とを、一旦ワークＲＡＭ１０に記憶させた後に、通信制御部Ｔにおける通信ＲＡＭ３１へ一時的に記憶させる。そして、通信ＣＰＵ１１の制御により、このユーザー情報に含まれるユーザーの端末機器へ、該当するオムツ情報およびオムツの発送情報を、送信部６を介して送信する（ＳＴ３３）。
【０１０９】
ＣＰＵ５は、ＳＴ３３において、ユーザーの端末機器へオムツ情報およびオムツの発送情報を送信した後、ユーザーからの返信を、予め設定された期間に亘って待機する。そして、ＣＰＵ５は、設定された期間内において、上記送信したユーザーの端末機器Ｓ２から、情報データを受信したか否かを判断する（ＳＴ３４）。
【０１１０】
ＣＰＵ５は、設定された期間内において、上記送信したユーザーの端末機器Ｓ２から、情報データを受信していないと判断した場合、該当するユーザー情報およびオムツ情報を販売者サーバＳ３へ送信する。
【０１１１】
また、ＣＰＵ５は、ユーザーの端末機器Ｓ２から情報データを受信していると判断した場合は、次のステップに移行される（ＳＴ３４）。ユーザーの端末機器Ｓ２から受信部３を介して受信された情報データは、通信ＣＰＵ１１の制御により、通信ＲＡＭ３１に一時的に記憶された後、ワークＲＡＭ１０に記憶される。
【０１１２】
次のステップにおいては、ユーザーの端末機器Ｓ２から受信され、ワークＲＡＭ１０に記憶された情報データに、発送に関する情報を要求する要求情報が含まれているか否かがＣＰＵ５の制御によって判断される（ＳＴ４１）。
【０１１３】
なお、図１２において説明したＳＴ１５で、ワークＲＡＭ１０に記憶されたユーザー情報が、ＲＡＭ１ｃに既にユーザー情報として記憶されていると判断された場合にも、上記ＳＴ４１のステップへと移行する。
【０１１４】
ＳＴ４１において、ＣＰＵ５は、ユーザーの端末機器Ｓ２から受信した情報データに、上記要求情報が含まれていると判断すると、この要求情報に含まれる発送情報に基づく所定時期に対して、ＲＡＭ１ｃのユーザー情報に付加された成長度合いテーブル１ａ２に対応する所定時期を参照して、これらを比較する制御を行う（ＳＴ４２）。
【０１１５】
そして、ＣＰＵ５は、これらの比較を行った結果に応じて、ＲＡＭ１ａの成長パターンテーブル１ａ３のうち、該当する成長パターンテーブル１ａ３を選択し、所定時期を再算出する制御を行う（ＳＴ４３）。
【０１１６】
ＣＰＵ５は、再算出した所定時期を、ＲＡＭ１ｃのユーザー情報に付加して上書きする（ＳＴ４４）。なお、上書きする所定時期は、今回、ユーザーの端末機器Ｓ２および／または販売者サーバＳ３へオムツ情報を送信する所定時期および次回の所定時期を対象としているが、これに限定されるものでなく、次回以降の所定時期を複数記憶させてもよく、また、今回の所定時期はあえて記憶しないようにしてもよい。
【０１１７】
次に、ＣＰＵ５は、ワークＲＡＭ１０に記憶されたユーザーからの要求情報に、オムツ情報の修正を要求する修正情報が含まれているか否かを判断する（ＳＴ４５）。
【０１１８】
なお、先述したＳＴ４１において、ＣＰＵ５がユーザーから受信した情報データに発送情報に関する要求情報が含まれていないと判断した場合も、ＳＴ４５に移行される。
【０１１９】
そして、ＣＰＵ５は、ＳＴ４５において、上記修正情報が含まれていると判断した場合、オムツ情報テーブル１ａ１を参照しつつ、ＲＡＭ１ｃのユーザー情報に、修正情報に応じたオムツ情報を上書きする（ＳＴ４６）。
【０１２０】
さらに、ＣＰＵ５は、ＲＡＭ１ｃのユーザー情報に上書きされた上記ユーザーの要求情報に応じた今回の所定時期に、オムツ情報及びオムツの発送情報を、ワークＲＡＭ１０に記憶され、通信制御部Ｔの通信ＲＡＭ３１に一時的に記憶させる。そして、通信ＣＰＵ１１の制御により、通信ＲＡＭ３１に一記憶されたオムツ情報及びオムツの発送情報を、送信部６から要求されたユーザーの端末機器Ｓ２に送信する（ＳＴ４７）。
【０１２１】
さらに、通信ＣＰＵ１１の制御により、通信ＲＡＭ３１に一記憶されたオムツ情報及びオムツの発送情報を、販売者サーバＳ３に送信する（ＳＴ４８）。
【０１２２】
ＳＴ４８の後は、図１５におけるフローに戻り、ＣＰＵ５は、ＳＴ３１において、計時部２の時間の経過に基づき、記憶部１におけるＲＡＭ１ｃにおけるユーザー情報を確認し、ユーザーの端末機器Ｓ２へ、オムツ情報およびオムツの発送情報を送信する所定時期であるか否かを確認することになる。
【０１２３】
また、ＣＰＵ５は、ＳＴ４５において、上記修正情報が含まれていないと判断した場合、その他の情報について確認し処理することになる。上記その他の情報としては、例えば、ユーザー情報の登録解除や、オムツ情報の発送情報の必要有無などがあり、ＣＰＵ５は、この情報データの内容に沿って処理を実行する（ＳＴ４９）。
【０１２４】
本実施形態において、上記ユーザーの要求情報としては、オムツの種類やサイズ、メーカの変更や、オムツ情報あるいはオムツのサンプルを送付する所定時期の変更などが含まれる。
【０１２５】
本実施形態において、ユーザー情報を受信するタイミングは様々であり、例えば、赤ちゃんが生まれて間もなく、直ぐに、オムツのサンプルを入手したい場合、現在はオムツが必要ではないが、赤ちゃんが成長してサイズの異なるオムツが必要となる場合、赤ちゃんが成長してオムツが必要で無くなる時期が近づいている場合など、様々であるが、物品検索サーバＳ１では、様々なケースに合わせて、ユーザーの必要とするオムツを検索し、これを送付する所定時期、オムツまたはオムツの発送情報を送付する所定時期を算出して、ユーザーのニーズに合わせたタイミングで送付、あるいは販売者サーバへ送付することが可能となっている。
【０１２６】
本実施形態では、ＣＰＵ５がオムツ情報およびオムツの発送情報をユーザーの端末機器Ｓ２へ送付する際に、ユーザーが初期情報として希望登録したメーカーのオムツ情報のみを送信することとしたが、これに限定されるものでなく、サイズなどが同じである他のメーカーのオムツ情報や、異なる種類（パンツタイプ、テープタイプ）のオムツ情報も送信して、ユーザーに選択させることも可能である。この場合、例えば、図１５のＳＴ４６において、選択されたオムツ情報を、ＲＡＭ１ｃのユーザー情報に上書きすればよい。
【０１２７】
本実施形態では、ユーザーの端末機器Ｓ２からの要求情報に応じて、ユーザーの登録解除を受け付けることも可能であるとしたが、これに限定されるものでなく、赤ちゃんの成長度合いに合わせて自動的に登録を解除するように設定することも可能である。すなわち、ユーザーにより登録された初期情報の中にある赤ちゃんの生年月日から、オムツを使用しなくなるであろうと推測されるときまでの使用期間を予め設定しておき、ＣＰＵ５が、計時部２による時間の経過を確認し、上記使用期間に達したと判断したときに、オムツ情報およびオムツの発送情報を送信を解除する解除情報を、ユーザーの端末機器Ｓ２へ自動的に送信することも可能である。このユーザーの端末機器Ｓ２への自動的な送信は、ワークＲＡＭ１０に記憶され、通信ＲＡＭ３１に一時的に記憶された後に、通信ＣＰＵ１１の制御により送信部６を介して行われる。勿論、ユーザーの端末機器Ｓ２から、解除情報に対する解除不要情報を受信した場合は、ＲＡＭ１ｃのユーザー情報を解除せずに、引き続きオムツ情報およびオムツの発送情報の送信を継続させることが可能である。
【０１２８】
本実施形態では、記憶部１のＲＡＭ１ａにおける成長パターンテーブル１ａ３が複数記憶されており、赤ちゃんの成長度合いに合わせて、該当するパターンが選択されているが、赤ちゃんの成長度合いは時代が変わるにつれて変化していくので、常に固定してしまうとユーザーの希望するオムツ情報をちょうど良いタイミングで送信しにくくなる。このため、成長パターンテーブル１ａ３を、外部入力端子部９を介して、外部から新たな成長パターンテーブル１ａ３を追加、あるいは上書きすることを可能としている。
【０１２９】
また、物品検索サーバＳ１において、蓄積されるユーザー情報に基づいて、赤ちゃんの成長パターンを新たに算出し、これをパターン化して成長パターンテーブル１ａ３に追加して記憶させることも可能である。この場合、ＣＰＵ５は、ＲＯＭ１ｂのプログラムに沿って、各ユーザーにおいてユーザー情報の初期情報と、次回以降にサイズの異なるオムツ情報を送信した時期との関係を累積的にＲＡＭ１ｃのユーザー情報とは別の領域に記憶しておき、予め用意された成長パターンテーブル１ａ３とは異なるパターンの出現率が所定率を上回ったと判断した場合に、新たなパターンとして成長パターンテーブル１ａ３を追加で記憶させるのである。この新たなパターンは、上記異なるパターンの平均値とすることが可能である。
【０１３０】
本実施形態では、物品として赤ちゃんのオムツを用いたが、本発明の物品検索システムにおける物品はこれに限定されるものでなく、時間の経過に応じて、用いる物品の形状や大きさ、種類が変化するような、例えば、老人が用いるオムツや、子供服、あるいはペットのエサなど、幅広く適用可能である。
【符号の説明】
【０１３１】
Ｓ１  物品検索サーバ
Ｓ２  端末機器
Ｓ３  販売者サーバ
１  記憶部
１ａ  ＲＡＭ
１ａ１  オムツ情報テーブル
１ａ２  成長度合いテーブル
１ａ３  成長パターンテーブル
１ｂ  ＲＯＭ
１ｃ  ＲＡＭ
２  計時部
３  受信部
４  検索部
５  ＣＰＵ
６  送信部
【図１】
0005561628.tif 000002
【図２】
0005561628.tif 000003
【図３】
0005561628.tif 000004
【図４】
0005561628.tif 000005
【図５】
0005561628.tif 000006
【図６】
0005561628.tif 000007
【図７】
0005561628.tif 000008
【図８】
0005561628.tif 000009
【図９】
0005561628.tif 000010
【図１０】
0005561628.tif 000011
【図１１】
0005561628.tif 000012
【図１２】
0005561628.tif 000013
【図１３】
0005561628.tif 000014
【図１４】
0005561628.tif 000015
【図１５】
0005561628.tif 000016